(57)【特許請求の範囲】
【請求項１】
開口を有している筒状部と、筒状又は袋状の本体部分とを備え、折り畳み可能な柔らかさの物のパッケージであって、
前記筒状部には、引き裂き線が、前記開口に沿う直線状部分と、前記本体部分を折り畳み、前記筒状部を２つ折りにして前記折り畳んだ本体部分を封入した状態において、前記直線状部分の両端から、前記開口から離れる向きに、当該２つ折りの折り線の両端となる位置近傍まで斜めに伸びる斜線状部分とに、表裏に渡って設けられており、
さらに、前記筒状部は、当該筒状部の幅より短くなるように前記本体部分を折り畳んだものを、筒状部を２つ折りすることによって封入できるだけの長さを有しており、前記２つ折りした時に重なり合う筒状部の縁及び開口の部分は、折り畳んだ本体部分を封止し、かつ、開口を閉じるように接着されている、ことを特徴とする物のパッケージ。
【請求項２】
手入れ口を有し、手首の部分まで伸びている袖部と、手首から指先までの本体部分とを備え、折り畳み可能な柔らかさの手袋のパッケージであって、
前記袖部は、引き裂き線が、前記手入れ口に沿う直線状部分と、前記本体部分を折り畳み、前記袖部を２つ折りにして前記折り畳んだ本体部分を封入した状態において、前記直線状部分の両端から、前記手入れ口から離れる向きに、当該２つ折りの折り線の両端となる位置近傍まで斜めに伸びる斜線状部分とに、手袋表裏に設けられており、
さらに、前記袖部は、当該袖部の幅よりも短くなるように前記本体部分を折り畳んだものを、袖部を２つ折りすることによって封入できるだけの長さを有しており、前記２つ折りした時に重なり合う袖部の縁及び手入れ口の部分は、折り畳んだ本体部分を封止し、かつ、手入れ口を閉じるように接着されている、ことを特徴とする手袋のパッケージ。
【請求項３】
前記とは別の手袋を折り畳んだものを、前記袖部を２つ折りした部分に収めたことを特徴とする請求項２に記載の手袋のパッケージ。
【請求項４】
手袋はフィルムシート製のものである、
請求項２又は請求項３に記載の手袋のパッケージ。
【請求項５】
手袋はゴムシート製のものである、
請求項２又は請求項３に記載の手袋のパッケージ。
【発明の詳細な説明】
【技術分野】
【０００１】
本発明は、筒状又は袋状の物のパッケージ、例えば、医療、食事の際に使用できる薄型手袋のパッケージに関する。
【背景技術】
【０００２】
筒状又は袋状の物のパッケージ、例えば、手袋のパッケージとして、特許文献１には、複数枚重ね合わせ、ティッシュボックス式に1枚づつ取り出すように容器に手袋を収納したパッケージが提案されている。図１０（ａ）は、容器１００の中に、複数の手袋が収納されており、開口部１０１を介して取り出せるようになっているものを示している。図１０（ｂ）は、容器１００の中に積層状態で収納されている手袋１０２を示す。
【０００３】
また、特許文献２には、1枚の手袋を収納したパッケージが提案されている。図１１（ａ）は、台紙１１０上に載置された手袋１１１を示し、（ｂ）は、台紙１１０を２つ折りして手袋１１１を封止した状態を示す。
【先行技術文献】
【特許文献】
【０００４】
【特許文献１】特開２０１６−１６６０４０号公報
【特許文献２】実開昭５９−１１８７７７号公報
【発明の概要】
【発明が解決しようとする課題】
【０００５】
何れの技術も、手袋と、その手袋をパッケージする容器又は台紙とは完全に分離している。このため、最後の1枚、又は、1枚封止の場合にはその封止されている手袋を使用する際、パッケージしていた容器又は台紙がゴミになる。
【０００６】
環境問題となっているゴミ、特に一般に容器、台紙に使用されているプラスチックのゴミの低減の観点から言えば、この容器又は台紙をゴミとして出さないことが望まれる。特に、1枚づつパッケージされている手袋の場合、使用のたびに、ゴミが出ることになり、屋外などでは、特に放置ゴミとされる虞が高かった。
【０００７】
本発明は、上記従来例の問題を解決するためになされたものであり、小量、例えば１枚又は２枚の手袋が封止されているパッケージで、開封後、使用済みとなるまでの間、ゴミを出さない手袋を提供することを目的とする。
【課題を解決するための手段】
【０００８】
上記目的を達成する本発明のパッケージは、開口を有している筒状部と、筒状又は袋状の本体部分とを備え、折り畳み可能な柔らかさの物のパッケージであって、前記筒状部には、引き裂き線が、前記開口に沿う直線状部分と、前記本体部分を折り畳み、前記筒状部を２つ折りにして前記折り畳んだ本体部分を封入した状態において、前記直線状部分の両端から、前記開口から離れる向きに、当該２つ折りの折り線の両端となる位置近傍まで斜めに伸びる斜線状部分とに、表裏に渡って設けられており、さらに、前記筒状部は、当該筒状部の幅より短くなるように前記本体部分を折り畳んだものを、筒状部を２つ折りすることによって封入できるだけの長さを有しており、前記２つ折りした時に重なり合う筒状部の縁及び開口の部分は、折り畳んだ本体部分を封止し、かつ、開口を閉じるように接着されている、ことを特徴とする。
【０００９】
上記目的を達成する本発明のパッケージは、手入れ口を有し、手首の部分まで伸びている袖部と、手首から指先までの本体部分とを備え、折り畳み可能な柔らかさの手袋のパッケージであって、前記袖部は、引き裂き線が、前記手入れ口に沿う直線状部分と、前記本体部分を折り畳み、前記袖部を２つ折りにして前記折り畳んだ本体部分を封入した状態において、前記直線状部分の両端から、前記手入れ口から離れる向きに、当該２つ折りの折り線の両端となる位置近傍まで斜めに伸びる斜線状部分とに、手袋表裏に設けられており、さらに、前記袖部は、当該袖部の幅よりも短くなるように前記本体部分を折り畳んだものを、袖部を２つ折りすることによって封入できるだけの長さを有しており、前記２つ折りした時に重なり合う袖部の縁及び手入れ口の部分は、折り畳んだ本体部分を封止し、かつ、手入れ口を閉じるように接着されている、ことを特徴とする。
【００１０】
前記とは別の手袋を折りたたんだものを、前記袖部を２つ折りした部分に収めた物が好ましい。
【００１１】
手袋はフィルムシート製のものであることが好ましい。
【００１２】
手袋はゴムシート製のものであることが好ましい。
【発明の効果】
【００１３】
本発明によれば、パッケージを開けて中に収めていた本体部分を引き出した時に、包んでいた部分のゴミが出ない。使用後に、本体部分と一緒に処分することができる。また、斜線状部分の引き裂き線を設けてあるので、接着位置が製造誤差によりずれた場合でも、最大の開口を得ることができ、使用感に影響を与えずに、使用できるという利点を有している。
【図面の簡単な説明】
【００１４】
【図１】（ａ）は折り畳む前の、引き裂き線を備えた状態の手袋を示し、（ｂ）は手袋を折り畳んで、収納したパッケージを示す。
【図２】パッケージングのため、手袋を折り畳む様子を示す説明図。
【図３】パッケージングのため、手袋を折り畳む様子を示す説明図。
【図４】パッケージングのため、手袋を折り畳む様子を示す説明図。
【図５】（ａ）は最後まで手袋を折り畳み、３方を接着し封止した状態を示し、（ｂ）は（ａ）の裏側、引き裂き線のある側の様子を示す。
【図６】（ａ）はパッケージの引き裂き線を裂いて開けた時の様子を示し、（ｂ）は中から折りたたまれていた手袋本体部分を出した状態を示す。
【図７】フィルムシート製の手袋で造ったパッケージの引き裂き線の直線状部分を裂いた状態を示す写真。
【図８】フィルムシート製の手袋で造ったパッケージの引き裂き線の直線状部分及び斜線状部分を裂いた状態を示す写真。
【図９】図８に示す状態の手袋の引き裂き位置にできる新たな手入れ口から手を入れた状態を示す写真。
【図１０】（ａ）は従来の複数の手袋を収めたパッケージを示し、（ｂ）はその容器の中に収められている手袋の様子を示す。
【図１１】（ａ）は従来の手袋を台紙上に載置した状態を示し、（ｂ）はその台紙を２つ折りして封止したパッケージを示す。
【発明を実施するための形態】
【００１５】
本発明のパッケージは、開口を有している筒状部と、筒状又は袋状の本体部分とを備え、折りたたみ可能な柔らかさの物のパッケージに関する。筒状部には、引き裂き線が、開口に沿う直線状部分と、当該直線状部分の両端から、開口から離れる向きに、当該本体部分を折り畳む際に端となる位置近傍まで斜めに伸びる斜線状部分とに、表裏に渡って設けられている。さらに、筒状部は、当該筒状部の幅より短くなるように本体部分を折り畳んだものを、筒状部を２つ折りすることによって封入できるだけの長さを有しており、２つ折りした時に重なり合う筒状部の縁及び開口の部分は、折り畳んだ本体部分を封止し、かつ、開口を閉じるように接着されている。
【００１６】
例えば、筒状部が、手入れ口を有し、手首の部分まで伸びている袖部で、本体部分が、手首から指先までで、折り畳み可能な柔らかさの手袋のパッケージがこれに相当する。この場合、袖部は、引き裂き線が、手入れ口に沿う直線状部分と、当該直線状部分の両端から、手入れ口から離れる向きに、当該手袋を折り畳む際に端となる位置近傍まで斜めに伸びる斜線状部分とに、手袋表裏に設けられている。さらに、袖部は、当該袖部の幅よりも短くなるように本体部分を折り畳んだものを、袖部を２つ折りすることによって封入できるだけの長さを有しており、２つ折りした時に重なり合う袖部の縁及び手入れ口の部分は、折り畳んだ本体部分を封止し、かつ、手入れ口を閉じるように接着（熱溶着、接着剤による接着等を含む）されている。
【００１７】
当該構成を採用することによって、使用時直前までは、本体部分の表裏が外気に触れていない滅菌状態のパッケージとすることができ、かつ、使用時は、引き裂き線を切り裂くことによって、包んでいた筒状部又は袖部をゴミとせず、かつ、切り裂いた部分が新たな別の手入れ口となるように開封することができる。本来ゴミとなるパッケージ部分は、上記袖部及び手入れ口の部分で接着されており本体部分から分離しておらず、即ち、ゴミとなるパッケージ部分の例えば端だけが本体部分に付いて吊り下がっているような状態とはならず、本体部分の使用の邪魔にならず、使用後は本体部分と同時に廃棄できる。特に、筒状部又は袖部を、２つ折りした時に重なり合う筒状部又は袖部の縁及び開口の部分は、折り畳んだ本体部分を封止し、かつ、開口を閉じるように接着されているため、引き裂き線を裂いてもこの部分で新たな手入れ口に沿うように、点でなく、線で接着されており、使用の邪魔とならない、という利点を有している。更には、引き裂き線で引き裂いた後の筒状部又は袖部の縁及び開口の部分は、ポケット様になり、ゴミになるどころか、収納用途に使える可能性もある。これにより、医療現場、飲食現場、特に屋外で、物、例えば手袋のパッケージ部分のゴミが出ないようにする。１つの手袋のパッケージの中に、もう1つの物、例えば手袋を入れても当然良く、この場合でも発明の効果は失われない。
【００１８】
本発明の物のパッケージの実施の形態に係る手袋１のパッケージ８について、添付の図面を参照しつつ説明する。
【００１９】
図１（ａ）は、パッケージされる手袋１の正面図である。手袋１は、以降の説明の便宜のため、不透明なフィルムシート製の薄型手袋とする。手袋１は、パッケージするために必要な大きさに折り畳めるサイズ及び柔らかさのものであればよく、透明のフィルムシート製、ゴムシート製の手袋であっても良い。手袋１は、指先２から手首３までの本体部分４と、手首３から手入れ口５まで伸びている袖部６とで構成されている。手袋１には、一点鎖線で示す引き裂き線７が表裏を貫いて設けられている。引き裂き線７は、引き裂いて開口できるように加工した部分で、例えば、厚みを薄くした部分、又は、破線状に小さな切込みを入れた部分をいう。
【００２０】
図１（ｂ）は、手袋１を折り畳み、封止してパッケージ８の製造が完了した状態を示す。サイズは、図１（ａ）の袖部６を２つ折りしたサイズに相当する。図示するように、引き裂き線７は、手入れ口に沿う直線状部分７ａと、直線状部分７ａの両端から、手入れ口から離れる向きに、手袋を折り畳む際に端となる位置近傍まで斜めに伸びる斜線状部分７ｂ、７ｃと、手袋１の表裏を貫き設けられている。袖部６は、本体部分４を袖部６の幅Ｗ１より短くなるように、折り畳んだものを、袖部６を２つ折りすることによって封入できるだけの長さL１を有している。２つ折りした時に重なり合う袖部６の縁６ａ、６ｂ（L１の略半分の長さ）及び手入れ口５の部分は、折り畳んだ本体部分４を封止し、かつ、手入れ口５を閉じるように熱溶着、又は、接着剤によって接着されている。なお、本例の袖部６は幅Ｗ１の変わらない、円柱状部分として示しているが、２つ折りした時に、折りたたんだ本体部分４を中に封止できる、という条件を満たす限りにおいて、手首３の部分の方が袖口５よりも幅の狭い場合、又は、その逆の場合も想定される。
【００２１】
図２は、手袋１の折り畳み方を説明する図で、先ず、点線で示す谷折り線９で左側の部分を折り畳む。袖口６の寸法Ｌ２、Ｌ３は、２つ折りした時に重なり合うように、略同一の長さに設定されている（以下同じ）。
【００２２】
図３は、手袋１の折り畳み方を説明する図で、図２を用いて説明した工程に続いて、点線で示す谷折り線１０で右側の部分を折り畳む。
【００２３】
図４は、手袋１の折り畳み方を説明する図で、図３を用いて説明した工程に続いて、点線で示す谷折り線１１〜２０で、中央部分を図面上手前側に折り畳む。なお、谷折り線２０で折り畳む際に、別途小さく折り畳んでおいた手袋５０を間に挟むようにしても良い。
【００２４】
図５（ａ）は、図４で示した谷折り線２０で２つ折りした時に重なり合う袖部６の縁６ａ、６ｂ及び手入れ口５の部分が、折り畳んだ本体部分４を封止し、かつ、手入れ口５を閉じるように熱溶着、または、接着剤によって接着された状態を示す。図中接着部分を網点を付して示す。なお、パッケージに所望される封止のレベルが低くい場合、断続的に接着する場合も考えられる。
【００２５】
図５（ｂ）は、引き裂き線７の設けられているパッケージ８の裏面の様子を示す。引き裂き線７は、斜線状部分７ｂ、７ｃが直線状部分７ａの両端から伸びている。図中接着部分を網点で示す。例えば、斜線部分７ｃを設けたことによって、封止処理実行時に、接着位置が矢印Ａ方向にずれた場合でも、引き裂き線７の斜線状部分７ｃが接着位置のところに到達している。これにより、引き裂き線７を引き裂き、開封した場合、可能な限り広く開口されている新たな手入れ口２１（図６（ｂ）を参照）を作る事ができる。
【００２６】
図６（ａ）は、パッケージ８の引き裂き線７を裂き、開けた状態を示す。引き裂き線７に沿って開けた部分は、新たな手入れ口２１となる。
【００２７】
図６（ｂ）は、更に、中に折り畳んで収納していた手袋１の本体部分４をパッケージ８の外に引き出した状態を示す。図示するように、新たに設ける手入れ口２１は、接着位置のところまで、開口しているので、手が入れ易いといった利点を有する。図示するように、本来ゴミとなる部分は、本体部分から分離しておらず、使用後は、本体部分４と同時に廃棄できる。特に、袖部を、２つ折りした時に重なり合う袖部の縁及び開口の部分は、折り畳んだ本体部分４を封止し、かつ、手入れ口５を閉じるように接着されているため、引き裂き線を裂いてもこの部分で新たな手入れ口２１に沿うように、点でなく、線で接着されており（図５（ｂ）に網点で示す接着部分を参照）、使用の邪魔とならない、という利点を有している。
【００２８】
（実施例の説明）
図７は、透明のフィルムシートを手形状に張り合わせてつくった手袋６０に、切り裂き線の内、直線状部分（図５（ｂ）の７ａを参照）を開け、斜線状部分（図５（ｂ）の７ｂ、７ｃを参照）はまだ開けずに黒のライン６１を引いて示す状態を表す写真である。透明フィルムの様子が分かりやすいように、格子模様のゴム板７０の上に載置して撮影している（以下の写真について同じ）。写真に示されるように、斜線状部分を開けない場合、手を入れる口が空かず、実用的で無い。
【００２９】
図８は、図７に黒のライン６１で示した引き裂き線の斜線状部分（図５（ｂ）の７ｂ、７ｃを参照）を開けた状態の手袋６０を示す。写真に示されるように、手を入れることができる程の大きさに、新たな手入れ口６２が空くことが判る。
【００３０】
図９は、黒のライン６１の斜線状部分を開けてつくた新たな手入れ口６２に実際に手８０を入れた状態を示す。写真に示すように、新たな手入れ口６２が広く開いているため、特に問題無く、手を入れることができた。
【００３１】
上記のように構成された本実施形態の手袋のパッケージは、引き裂き線を開け、使用可能な状態にした時に、封止していた部分が分離したゴミとならない、という利点を有している。さらに、本実施形態の手袋のパッケージは、封止していた部分は元の手入れ口に沿うように、点でなく線で接着されているので、使用時にバタつかず邪魔にならない、という利点を有している。即ち、仮に、包んでいた袋の端の点が内部に含まれている本体部分に繋がっている場合と比較して、明確に異なる利点を有している。また、斜線状部分の引き裂き線を設けたことによって、製造時の位置ずれを許容しつつ、可能な限り広い新たな手入れ口を設けることができる。
【００３２】
なお、本発明は、上記各種実施形態の構成に限られず、発明の趣旨を変更しない範囲で種々の変形が可能である。例えば、薄いフィルムシートの代わりに、ゴムシートを用いたゴム手袋を用いても、同様のパッケージをつくることができる。
【００３３】
また、手袋に限らず、開口を有している筒状部と、筒状又は袋状の本体部分とを備え、折り畳み可能な柔らかさの物のパッケージであって、以下の要件を満たすものであれば、本発明の物のパッケージに含まれる。即ち、筒状部には、引き裂き線が、開口に沿う直線状部分と、当該直線状部分の両端から、開口から離れる向きに、当該本体部分を折り畳む際に端となる位置近傍まで斜めに伸びる斜線状部分とに、表裏に渡って設けられている。さらに、筒状部は、当該筒状部の幅より短くなるように本体部分を折り畳んだものを、筒状部を２つ折りすることによって封入できるだけの長さを有しており、２つ折りした時に重なり合う筒状部の縁及び開口の部分は、折り畳んだ本体部分を封止し、かつ、開口を閉じるように接着されている。例えば、筒状の本体部分を有しているマフラー、ストール等、袋状の本体部分を有している、靴下、簡易バッグ等のパッケージに応用することができる。
【産業上の利用可能性】
【００３４】
本発明のパッケージ技術は、開口を有している筒状部と、筒状又は袋状の本体部分とを備え、折り畳み可能な柔らかさの物のパッケージ、例えばＴシャツ、フード付きレインコート又はポンチョ等をパッケージングするのにも使うことができる。
【符号の説明】
【００３５】
１、５０、６０    手袋
２                指先
３                手首
４                本体部分
５、２１、６２    手入れ口
６                袖部
６ａ、６ｂ、６ｃ  袖部の縁
７                引き裂き線
８                パッケージ
９、１０、１１、１２、１３、１４、１５、１６、１７、１８、１９、２０  谷折り線
【要約】      （修正有）【課題】物、例えば手袋を収納しているパッケージで、使用時ゴミを出さないものを提供する。【解決手段】手入れ口２１を有し、手首の部分まで伸びている袖部と、手首から指先までの本体部分４とを備え、折り畳み可能な柔らかさの手袋１のパッケージ８で、袖部は、引き裂き線７が、手入れ口に沿う直線状部分と、直線状部分の両端から、手入れ口から離れる向きに、手袋を折り畳む際に端となる位置近傍まで斜めに伸びる斜線状部分と、手袋表裏に設けられており、さらに、袖部は、袖部の幅よりも短く本体部分を折り畳んだものを、袖部を２つ折りすることによって封入できるだけの長さを有しており、２つ折りした時に重なり合う袖部の縁及び手入れ口の部分は、折り畳んだ本体部分を封止し、かつ、手入れ口を閉じるように接着されている、ことを特徴とする。開封した際にパッケージのゴミが出ず、使用後、一緒に捨てることができる。【選択図】図６【図１】
0006964957.tif 000002
【図２】
0006964957.tif 000003
【図３】
0006964957.tif 000004
【図４】
0006964957.tif 000005
【図５】
0006964957.tif 000006
【図６】
0006964957.tif 000007
【図７】
0006964957.tif 000008
【図８】
0006964957.tif 000009
【図９】
0006964957.tif 000010
【図１０】
0006964957.tif 000011
【図１１】
0006964957.tif 000012